(57)【特許請求の範囲】
【請求項１】
鋼管杭の上端に接続されて鋼管杭を軸まわりに回転させるモータと、このモータを上下方向に移動可能に案内する柱体と、モータを前記柱体に沿って降下せしめて前記鋼管杭へ上端から下方へ押圧する圧入機構を備える回転圧入装置本体を、建物の基礎と平行に設けられるレールに沿って移動可能に取り付けられる台車上に、前記レールと直交する略水平方向に伸縮する伸縮フレームを介して搭載し、同伸縮フレームは前記台車上に取り付けられた主フレームと、この主フレームに沿って移動するスライドフレームよりなり、前記回転圧入装置本体を伸縮フレーム上に取り付けてなる建物の基礎支持用鋼管杭の回転圧入装置。
【請求項２】
前記柱体を、摺動可能に嵌めた上下の筒体で構成するとともに上部の筒体にて前記モータを支持し、上下の筒体内に設けたジャッキの伸縮によって柱体を伸縮させてモータを上下方向に移動せしめるように構成してなる請求項１に記載の建物の基礎支持用鋼管杭の回転圧入装置。
【請求項３】
前記柱体と台車との間に回転台を備え、前記柱体が軸まわりに回転できるように構成してなる請求項１に記載の移動できる建物の基礎支持用鋼管杭の回転圧入装置。
【請求項４】
上部に基礎の前面側を押圧する前後に移動可能な前面側押圧板と、基礎の水平部前面側の上面に上方から圧接され、上下に移動可能な下向き押圧板を有し、下部が基礎の水平部下面よりも下方に延びる前面側固定具と、上部に基礎の後面側を押圧する前後に移動可能な後面側押圧板と、基礎の水平部後面側の上面に上方から圧接され、上下に移動可能な下向き押圧板を有し、下部が基礎の水平部下面よりも下方に延びる後面側固定具とを備え、前記前面側固定具と後面側固定具の各下部間を締結具で連結し、前記前面側固定具の上部に、回転圧入装置を支持するレールが取り付けられる水平フレーム部を設けてなる回転圧入装置取付用のブラケット。
【発明の詳細な説明】
【０００１】
【発明の属する技術分野】
本発明は建物の基礎支持用鋼管杭を回転圧入するための装置及び同装置を建物の基礎に取り付けるためのブラケットに関する。
【０００２】
【従来の技術とその問題点】
既設の建物に対して、地盤沈下等による建物の傾きを防止したり、傾いた建物を水平に修正する手段として、従来から建物の基礎下に支持地盤まで、あるいは十分な支持力が得られる深さまで鋼管杭を軸まわりに回転させながら圧入し、この鋼管杭にて建物の基礎を水平に支承する工法がある。
【０００３】
従来の工法では、所要場所の基礎下に作業用の穴を掘り、この穴の中に回転圧入装置を設置して鋼管杭を圧入するが、作業用の穴は回転圧入装置を設置し、かつ作業員が回転圧入装置を操作するための十分な広さが必要であり、建物のまわりに十分な作業用のスペースがない場合には施工が不可能か困難であった。
【０００４】
また、建物の沈下防止や修正には建物の基礎下の多数の箇所に鋼管杭を圧入する必要があるが、鋼管杭を圧入するごとに回転圧入装置を移動させなければならず、作業が煩雑であり、短期間での施工ができないという問題もある。
【０００５】
【目的】
本発明の目的とするところは、施工用のスペースが小であり、しかも装置の移動が容易であって複数箇所への鋼管杭の回転圧入を確実かつ速やかに行うことができる回転圧入装置及び同装置取付用のブラケットを提供することにある。
【０００６】
【本発明の構成】
上記目的を達成するために、本発明の請求項１に係る回転圧入装置は、鋼管杭の上端に接続されて鋼管杭を軸まわりに回転させるモータと、このモータを上下方向に移動可能に案内する柱体と、モータを前記柱体に沿って降下せしめて前記鋼管杭へ上端から下方へ押圧する圧入機構を備える回転圧入装置本体を、建物の基礎と平行に設けられるレールに沿って移動可能に取り付けられる台車上に、前記レールと直交する略水平方向に伸縮する伸縮フレームを介して搭載し、同伸縮フレームは前記台車上に取り付けられた主フレームと、この主フレームに沿って移動するスライドフレームよりなり、前記回転圧入装置本体を伸縮フレーム上に取り付けてなる構造のものとしてある。
【０００７】
本発明の請求項２に係る回転圧入装置は、前記柱体を、摺動可能に嵌めた上下の筒体で構成するとともに上部の筒体にて前記モータを支持し、上下の筒体内に設けたジャッキの伸縮によって柱体を伸縮させてモータを上下方向に移動せしめるように構成してなる構造のものとしてある。
【０００８】
本発明の請求項３に係る回転圧入装置は、前記柱体と台車との間に回転台を備え、前記柱体が軸まわりに回転できるように構成してなる構造のものとしてある。
【０００９】
また、本発明に係るブラケットは、上部に基礎の前面側を押圧する前後に移動可能な前面側押圧板と、基礎の水平部前面側の上面に上方から圧接され、上下に移動可能な下向き押圧板を有し、下部が基礎の水平部下面よりも下方に延びる前面側固定具と、上部に基礎の後面側を押圧する前後に移動可能な後面側押圧板と、基礎の水平部後面側の上面に上方から圧接され、上下に移動可能な下向き押圧板を有し、下部が基礎の水平部下面よりも下方に延びる後面側固定具とを備え、前記前面側固定具と後面側固定具の各下部間を締結具で連結し、前記前面側固定具の上部に、回転圧入装置を支持するレールが取り付けられる水平フレーム部を設けてなる構造のものとしてある。
【００１０】
【実施例】
以下、本発明に係る回転圧入装置の実施例を添付図面に示す具体例に基づいて詳細に説明する。
【００１１】
＜第１実施例＞
本第１実施例における回転圧入装置本体１は伸縮可能な柱体２によって昇降可能に設けられたモータ３を備え、このモータによって鋼管杭を回転させながら圧入機構機構にてモータを降下せしめて鋼管杭を地盤へ回転圧入する構成のものとしてある。
【００１２】
前記柱体２は金属製の角筒よりなる下部筒体２ａと上部筒体２ｂとよりなり、上部筒体２ｂは下部筒体２ａまわりに摺動可能に嵌められていて、柱体２内における下部筒体２ａの内底と上部筒体２ｂの頂部内面との間に前記圧入機構たる油圧ジャッキ４を備えており、同ジャッキのシリンダ４ａの端部を上部筒体の頂部内面に固定し、ロッド４ｂの端部を下部筒体２ａの内底面に固定してある。
【００１３】
前記モータ３は例えば油圧モータよりなり、上部筒体２ｂの側部適所に適宜のモータ保持体５にて回転軸３ａが下向きとなるように取り付けられている。
【００１４】
しかして、回転圧入装置本体１は例えばＨ型鋼よりなるレール６上へ同レールに沿って移動できるように取り付けられた台車７上に着脱可能に搭載され、台車７はレールの上部フランジ上を回転する上部ローラ８ａと同上部フランジの下面に接しながら回転する下部ローラ８ｂを備え、台車に上向きの力が掛かっても台車がレールから外れないように取り付けられている。
【００１５】
また、レール６の縦板部にはレールの長手方向に所定の間隔で台車固定用の孔６ａをあけてあって、この固定用の孔６ａと、この孔に対応する位置にあけた台車７の側板７ａの孔７ｂに固定用ボルト９ａを貫通させてナット９ｂで止めることにより台車７を所要の位置に固定できるようにしてある。
【００１６】
また、台車７は上部に回転台１０を備えていて、この回転台はスラスト軸受等の適宜の回転機構１０ａによって支承され、かつ、台車の上板と回転台の中心をセンターピン１０ｂによって抜け止めしてあり、さらに、回転台１０は所要の回転位置で回り止めピン１０ｃにより固定できるようになっている。
【００１７】
さらに、回転台１０の上面には係止用突起１１、１１が突設されていて、この係止用突起にあけた孔と、下部筒体２ａの下部側面にあけた孔に固定ピン１２を貫通させて柱体２を回転台１０上に着脱可能に取り付けてある。
【００１８】
なお、上述した実施例において、圧入機構は柱体２の伸縮によってモータを昇降させる構成のとなっているが、モータが鋼管杭を圧入するための十分な押圧力を付与できる構成であれば他の圧入機構を採用することができ、例えば柱体の上部筒体２ｂに一端を接続したチェンやワイヤ等の索条を下部筒体２ａの適所に設けた巻取機で巻取って上部筒体を引き下げるようにする場合もあるし、柱体は伸縮せず、柱体に沿って移動可能に設けたモータを柱体の上下方向に回送されるチェンやワイヤ等の索条で昇降させる構成とする場合もある。
【００１９】
本実施例に係る回転圧入装置は、上述のように構成した装置本体１と台車７とで構成され、前述したレール６上を移動できるように設けられるが、レール６は図３に示す構造のブラケット２０によって建物の基礎１３に取り付けられる。
【００２０】
ブラケット２０は基礎１３の水平部１３ａを前後（図３では左右）と上下から囲み、基礎の垂直部１３ｂを前後（図３では左右）から把持して取り付けられるものとしてあって、基礎の前面側（図３では左側）に取り付けられる前面側固定具２１と、後面側（図３では右側）に取り付けられる後面側固定具２２を備えている。
【００２１】
前面側固定具２１は、垂直フレーム部２１ａの下部に後方へ折曲する下部水平フレーム部２１ｂと、垂直フレーム部２１ａの上部に水平に設けた上部水平フレーム部２１ｃを備え、垂直フレーム部の前面と上部水平フレーム部の下面との間には補強板２１ｄを設けてある。
【００２２】
前面側固定具２１の上部には、基礎の垂直部１３ｂを前面側から押圧する前面側押圧板２５と、水平部１３ａの前部上面を押圧して前面側固定具を水平部上に支持する下向き押圧板２６を有し、前面側押圧板は固定具に溶接されたナット２７ａ、２７ａに螺合するボルト２７ｂ、２７ｂを正逆回動させることによって前後に移動できるように設けられており、また、下向き押圧板２６は固定具に溶接されたナット２８ａに螺合するボルト２８ｂを正逆回動させることによって上下に移動できるように設けられている。
【００２３】
後面側固定具２２は、垂直フレーム部２２ａの下部に前方へ折曲する下部水平フレーム部２２ｂと、垂直フレーム部２１ａの上部に水平に設けた上部水平フレーム部２２ｃを備えている。
【００２４】
後面側固定具２２の上部には、基礎の垂直部１３ｂを後面側から押圧する後面側押圧板２９と、水平部１３ａの後部上面を押圧して後面側固定具を水平部上に支持する下向き押圧板３０を有し、後面側押圧板は固定具に溶接されたナット３１ａ、３１ａに螺合するボルト３１ｂを正逆回動させることによって前後に移動できるように設けられており、また、下向き押圧板３０は固定具に溶接されたナット３２ａに螺合するボルト３２ｂを正逆回動させることによって上下に移動できるように設けられている。
【００２５】
前記各押圧板は基礎との間にゴム板等のクッション材３３を備えており、このクッション材は各押圧板の押圧面に予め接着剤等で貼り付けておく場合もあるし、固定具を基礎へ取り付ける際に単に基礎との間に挟み込むようにする場合もある。
なお、各押圧板とボルトとの間は適宜の軸受によってボルトがフリーに回転できるように接続されている。
【００２６】
ブラケット２０が取り付けられる基礎の水平部１３ａの前後方向（図３では左右方向）の幅は例えば４０〜６０ｃｍと多様であるので、前後面の固定具２１、２２の各下部水平フレーム部２１ｂ、２２ｂ間は基礎の水平部１３ａの下側においてボルト２３ａとナット２３ｂよりなる締結具の螺合により間隔が調整できるように連結され、また、各下部水平フレーム部は左右に側板２４、２４が取り付けられて補強されていて、この補強用の側板はボルトナット等の止め具２４ａ、２４ａによって前後の固定具に取り付けられており、同図中の符号２４ｂ、２４ｂは側板２４に対する止め具２４ａ、２４ａの取り付け位置を前後に調節するための長孔を示している。
【００２７】
上述した構成のブラケット２０は、まず、後面側固定具２２と前面側固定具２１をこの順に基礎へ取り付け、両固定具間を連結し、各固定具の押圧板で基礎を強固に保持せしめて取り付けるようになっていて、以下に取り付けの具体例を詳述する。
【００２８】
後面側固定具２２の下部水平フレーム部２２ｂの上面と垂直フレーム部２２ａの前面をそれぞれ基礎１３の水平部１３ａ下面と同水平部の後面に当接させ、ボルト３２ｂを回動させて下向き押圧板３０を基礎の水平部１３ａ上面に圧接せしめる。
【００２９】
次ぎに前面側固定具２１の下部水平フレーム部２１ｂの上面と垂直フレーム部２１ａの後面をそれぞれ基礎１３の水平部１３ａ下面と同水平部の前面に当接させ、ボルト２８ｂを回動させて下向き押圧板２６を基礎の水平部１３上面に圧接せしめる。
【００３０】
この際、前面側固定具２１と後面側固定具２２の取付位置にずれが生じないように、両固定具を予め連結用のボルト２３ａとナット２３ｂで仮止めしておくとよい。
【００３１】
前後の固定具２１、２２を基礎の水平部１３ａへ取り付けた後、両固定具間の連結用ボルト２３ａと同ナット２３ｂを締め、さらに両固定具の下部水平フレーム部２１ｂ、２２ｂに側板２４、２４を取り付けて両固定具間を強固に連結する。
【００３２】
その後、後面側固定具２２のボルト３１ｂを回動させて後面側押圧板２９を基礎の垂直部１３ｂの後面に圧接するとともに、前面側固定具２１のボルト２７ｂ、２７ｂを回動させて前面側押圧板２５を基礎の垂直部１３ｂの前面に圧接してブラケット２０を基礎へ強固に取り付ける。
【００３３】
ブラケット２０は基礎１３の長手方向に沿って適宜の間隔で複数基取り付けられ、レール６は各ブラケットの前面側固定具２１における上部水平フレーム部２１ｃ上面の前端寄りに、基礎の長手方向と平行をなすようにボルト・ナット等の止め具３４で着脱可能に取り付ける。
【００３４】
上述のように構成した本第１実施例の回転圧入装置は建物の外周部における基礎まわりに鋼管杭を回転圧入するのに好適な装置であり、以下に本実施例の回転圧入装置を使用して鋼管杭を回転圧入し、さらに建物の沈下修正を行う方法を図４〜１０に基づいて詳細に説明する。
なお、これらの図においては建物の１辺部（図４〜１０では左辺部）に施工する場合の具体例を示したが、実際には建物の全周に対して同様に施工する。
【００３５】
まず、図４に示すように建物１４まわりの地盤３４へ建物の辺部に沿って、例えば幅が６０〜１００ｃｍ、深さが基礎１３の水平部１３ａの深さよりも浅い例えば２０ｃｍ程度の矩形状の溝３５を掘る。
【００３６】
次ぎに、図５に示すように溝３５内に幅１ｍ、深さ６０ｃｍ程度の穴３６を鋼管杭を圧入しようとする適宜の間隔で掘り、基礎１３の水平部１３ａを露出させ、図６に示すように所要の穴３６内における基礎１３へブラケット２０を前述した手順で取り付け、レール６を溝の長手方向に固定し、このレール６に回転圧入装置の台車７を取り付け、この台車７上に回転圧入装置本体１を取り付ける。
【００３７】
なお、ブラケット２０は全ての穴３６に設ける必要はなく、レール６と回転圧入装置の荷重および鋼管杭の圧入の際の応力に十分耐え得る必要数を適宜の間隔で取り付ければよい。
【００３８】
次ぎに、上述のように取り付けた回転圧入装置によって鋼管杭３７を地盤３４へ圧入し、さらに圧入後の鋼管杭により建物の基礎１３を支持して沈下修正する工法について図７乃至図１０に基づいて詳細に説明する。
【００３９】
まず、レール６に沿って回転圧入装置を所要の位置、すなわち鋼管杭を圧入しようとする位置まで移動させ、台車７をレールに固定する。
回転圧入装置の伸縮機構によってモータ３を上昇させ、同モータにアダプタ４１を介して鋼管杭３７の上端部を取り付ける。
【００４０】
鋼管杭３７の上端外周には係合片３７ａを溶接等により取り付けてあって、前記アダプタ４１の爪４１ａを鋼管杭の係合片３７ａに係合させて鋼管杭を回転させるようになっている。
【００４１】
前記鋼管杭３７は例えば長さ６０ｃｍ、直径１６ｃｍ程度の中空の鋼管３８を多数接続しながら支持地盤まで、あるいは鋼管杭の耐力が所要の値に達するまで圧入するものとしてあり、各鋼管３８間の接続部内には接続筒３９を嵌め込んで補強してあり、鋼管接続部外周は溶接してある。
なお、各鋼管３８の長さは回転圧入装置の伸縮ストロークよりも短いものとしなければならない。
【００４２】
また、先端の鋼管杭における先端部には、楔状の爪４０、４０を溶接にて設けてあり、地盤３４中にコンクリート塊等の障碍物があっても、障碍物を爪によって破砕して鋼管杭の圧入が妨げられないようにしてある。
【００４３】
上述のように回転圧入装置のモータへ鋼管杭をセットした後、モータ３を回転駆動させながら回転圧入装置の柱体２を縮めてモータを降下させ、鋼管杭を回転圧入する。
【００４４】
モータが最下位置まで降下した後、モータ３の回転駆動を停止するとともに柱体２を伸ばしてモータを最上位置まで上昇させ、既に圧入した鋼管杭の上端に新たな鋼管を接続し、モータを降下させて新たな鋼管の上端にアダプタ４１を取り付け、モータ回転駆動させて鋼管杭を回転させながらモータを降下させる。
【００４５】
上述のように鋼管を順次接続して鋼管杭を所要深さまで圧入したら、回転圧入装置をレール６に沿って次ぎの圧入位置まで移動させ、台車７をレールに固定し、鋼管杭を圧入する。
【００４６】
所要箇所へ鋼管杭の圧入を終えたら、回転圧入装置本体１を台車７から取り外してさらに台車７をレール６から取り外し、レール６、ブラケット２０を順に撤去する。
【００４７】
次ぎに、圧入後の各鋼管杭３７の上部を所要の長さで切断し、図８に示すように基礎ブラケット４２を取り付ける。
【００４８】
この基礎ブラケット４２は、鋼管杭の外周に嵌合する内径を有する基部のボス４２ａと、このボスからによって水平に支持される支持板部４２ｂと、支持板部を補強する補強板４２ｃを備え、ボス４２ａを鋼管杭３７に嵌めて溶接により固定し、支持板部４２ｂを基礎１３の下方に臨ませ、さらに穴３６内における支持板部４２ｂの下部をモルタル４３で埋めて硬化させる。
【００４９】
モルタル４３が硬化したら図９に示すように支持板部４２ｂと基礎１３下面との間にジャッキ４４を取り付け、予め測定しておいた建物各部の沈下量に基づいてジャッキ４４を伸縮させ、建物が水平となるよう調整する。
【００５０】
建物の水平調整が終了したら、図１０に示すように水平調整後のジャッキ４４長さと同じ長さに切断した鋼管よりなるピース４５をジャッキと入れ替え、穴３６を埋め戻す。
【００５１】
前記ジャッキ４４には油圧ジャッキやジャーナルジャッキを使用することができるが、建物全体を油圧ジャッキで水平調節した後、油圧ジャッキをジャーナルジャッキと置き換えて微調整を行う場合もある。
【００５２】
なお、建物を水平調整した後にジャッキをそのまま残して穴を埋め戻し、所定期間経過後に再び建物の水平調整を行ってからジャッキをピースと入れ替えて建物の水平精度をより高度に調整する場合もある。
【００５３】
＜第２実施例＞
次ぎに、本発明に係る回転圧入装置の第２実施例を図１１、１２に基づいて詳細に説明する。
【００５４】
上述した第１実施例の回転圧入装置は建物の辺部における基礎を支持するための鋼管杭を建物のまわりに圧入するためのものであるが、第２実施例の回転圧入装置は建物の下部に鋼管杭を圧入できるようにした構成のものである。
【００５５】
回転圧入装置本体５１は柱体５２に沿って摺動可能に設けられたモータ５３と、このモータに一端が接続されたチェン等の索条５４ａを巻取る巻取機５４よりなる圧入機構を備え、このモータによって鋼管杭を回転させながら前記巻取機５４にて索条５４ａを巻取ることによりモータを降下せしめて鋼管杭を地盤へ回転圧入する構成のものとしてある。
なお、図中の符号５５は巻取機のモータ、５６は索条を巻取る巻取ドラムを示している。
【００５６】
前記モータ５３は例えば油圧モータよりなり、金属製の各筒よりなる前記柱体５２に摺動可能に取り付けられたキャリッジ５７に回転軸５３ａが下向きとなるように取り付けられている。
【００５７】
回転圧入装置本体５１は例えばＨ型鋼よりなるレール５８、５８上へ同レールに沿って移動できるように取り付けられる台車５９、５９を備える伸縮フレーム６０上に着脱可能に搭載されている。
【００５８】
この伸縮フレーム６０は一端（図１１では左端）が閉ざされ、他端が開口する主フレームたる筒体６１と、この筒体６１の長手方向に沿って水平方向に摺動するスライドフレーム６２を備え、スライドフレーム６２は前記筒体６１内に設けた油圧ジャッキ６３によって水平方向に移動できるようになっている。
【００５９】
しかして、前記回転圧入装置本体５１は前記スライドフレーム６２の上面に着脱可能に取り付けられていて、スライドフレームの先端部（図１１では右端部）下面にはローラ６４がフリーに回転できるよう取り付けられており、このローラ６４によって伸縮フレーム６０を伸ばした状態における回転圧入装置の荷重を受けることができるようにしてある。
【００６０】
なお、本第２実施例においては回転圧入装置本体５１をスライドフレーム６３に直接取り付けてあるが、第１実施例の図１、２中に示される回転台１０と同様の構成により、回転圧入装置本体５１をスライドフレーム上に軸回りに回動できるように設ける場合もある。
【００６１】
また、前記台車５９は第１実施例のものと同様の構造としてあり、伸縮フレーム６０の筒体６１下面に２基設けられ、平行な２本のレール５８、５８へそれぞれ取り付けられるようになっている。
【００６２】
以下に本実施例の回転圧入装置を使用して鋼管杭を回転圧入する方法を図１３および図１４に基づいて詳細に説明する。
【００６３】
まず、図１３に示すように建物直下の地盤３４へ建物の基礎１３まわりに基礎の列に沿った矩形状の穴７０を掘って基礎１３の水平部１３ａを露出させ、基礎１３の長手方向に沿って穴７０内底に２本のレール５８、５８を敷設する。なお、レール５８、５８の下には枕木７１、７１を敷いておく。
そして、レール５８、５８に回転圧入装置の台車５９、５９を取り付けて回転圧入装置がレールに沿って移動できるようにする。
【００６４】
次ぎに、上述のように取り付けた回転圧入装置によって鋼管杭３７を地盤３４へ圧入する工法について説明する。
まず、レール５８、５８に沿って回転圧入装置を所要の位置、すなわち鋼管杭を圧入しようとする位置まで移動させ、台車５９、５９をレールに固定する。
【００６５】
回転圧入装置側方（図１４では右側）における基礎１３の下に鉄板等よりなる敷板７２を置き、伸縮フレーム６０におけるジャッキ６３を伸ばしてスライドフレーム６３を回転圧入装置本体５１とともに基礎下へ移動させる。
【００６６】
この際、基礎の下面に図１５に示すようなねじれ止め用の固定具７３を取り付け、この固定具７３の下面に形成したホルダ部７４に回転圧入装置５１の柱体５２の上端部を取り付ける。
【００６７】
前記固定具７３は、同固定具のホルダ部７４の側板にあけた孔７４ａと、回転圧入装置本体５１の柱体５２に水平に貫通する孔５２ａを連通させて固定ピン７５を挿入することにより着脱可能に取り付ける。
【００６８】
次ぎに、モータ５３を手作業で上昇させ、同モータにアダプタ４１を介して鋼管杭３７の上端部を取り付ける。
鋼管杭３７の上端外周には係合片３７ａを溶接等により取り付けてあって、前記アダプタ４１の爪４１ａを鋼管杭の係合片３７ａに係合させて鋼管杭を回転させるようになっている。
【００６９】
上述のように回転圧入装置のモータ５３へ鋼管杭をセットした後、モータ５３を回転駆動させるとともに、巻取機５４も駆動させてモータ５３を柱体５２に沿って降下させ、鋼管杭を回転圧入する。
【００７０】
この際、柱体５２にはモータ５３の回転駆動に伴う応力によってねじれ力が生じるが、柱体５２はねじれ止め用の固定具７３を介して基礎１３に取り付けられているので、柱体５２のねじれや回転が防止される。
【００７１】
モータが最下位置まで降下した後、モータ５３の回転駆動を停止するとともに巻取機の駆動も停止し、モータを最上位置まで持ち上げ、既に圧入した鋼管杭の上端に新たな鋼管を接続し、モータを降下させて新たな鋼管の上端にアダプタ４１を取り付け、モータを回転駆動させて鋼管杭を回転させながら巻取機５４により再びモータ５３を降下させる。
【００７２】
上述のように鋼管を順次接続して鋼管杭を所要深さまで圧入したら、柱体５２から固定具７３を取りはずし、伸縮フレーム６０を収縮させ、回転圧入装置をレール５８、５８に沿って次ぎの圧入位置まで移動させ、台車５９、５９をレールに固定し、上述した工程を繰り返して鋼管杭を圧入する。
【００７３】
所要箇所へ鋼管杭の圧入を終えたら、回転圧入装置の台車５９、５９をレール５８、５８から取り外し、レール５８、５８、枕木７１、７１および敷板７２を撤去する。
【００７４】
上述した工法により鋼管杭３７を回転圧入した後、第１実施例において図８乃至図１０により説明した工程と同様に基礎を鋼管杭によって支持し、建物の水平調整を行った後、穴７０を埋め戻し、全ての工程を終了する。
【００７５】
【発明の効果】
本発明に係る回転圧入装置は、台車上に立設した柱体に沿って降下させられるモータによって鋼管杭を圧入するので、施工スペースが小であって狭い場所における施工を容易かつ安全に行うことができ、しかも台車により回転圧入装置を基礎に沿って移動することができるので、複数箇所への鋼管杭の回転圧入を速やかに行うことができる。
【００７６】
また、本発明に係るブラケットによれば、基礎に固定用の孔などを取り付ける必要がなく、安全かつ容易に基礎への取り付けを行うことができ、しかも確実かつ強固にレールを取り付けることができる。
【図面の簡単な説明】
【図１】本発明に係る回転圧入装置の第１実施例を一部破断して示す正面図。
【図２】台車の側面図。
【図３】本発明に係るブラケットの実施例を示す正面図。
【図４】第１実施例の回転圧入装置により鋼管杭を回転圧入するための施工手順を示す（ａ）  は平面図、（ｂ）  は（ａ）  のＢ−Ｂ線縦断面図。
【図５】図４の次工程を示す平面図。
【図６】図５のさらに次の工程を示す平面図。
【図７】第１実施例の回転圧入装置によって鋼管杭を回転圧入する状態を示す縦断面図。
【図８】回転圧入後の鋼管杭により基礎を支持する施工手順を示す縦断面図。
【図９】図８の次工程を示す縦断面図。
【図１０】図９のさらに次の工程を示す縦断面図。
【図１１】本発明に係る回転圧入装置の第２実施例を示す正面図。
【図１２】同上の平面図。
【図１３】第２実施例の回転圧入装置により鋼管杭を回転圧入するための施工手順を示す平面図。
【図１４】第２実施例の回転圧入装置によって鋼管杭を回転圧入する状態を示す縦断面図。
【図１５】ねじれ止め用の固定具を右下方から示す斜視図。
【符号の説明】
１  回転圧入装置本体          ２  柱体
２ａ  下部筒体                ２ｂ  上部筒体
３  モータ                    ４  油圧ジャッキ
５  モータ保持体              ６  レール
７  台車                    ８ａ、８ｂ  ローラ
９ａ  台車固定用ボルト        ９ｂ  台車固定用ナット
１０  回転台                  １１  係止用突起
１２  固定ピン                １３  基礎
１４  建物
２０  ブラケット              ２１  前面側固定具
２２  後面側固定具            ２３ａ  ボルト
２３ｂ  ナット                ２４  側板
２５  前面側押圧板            ２６  下向き押圧板
２７ａ  ナット                ２７ｂ  ボルト
２８ａ  ナット                ２８ｂ  ボルト
２９  後面側押圧板            ３０  下向き押圧板
３１ａ  ナット                ３１ｂ  ボルト
３２ａ  ナット                ３２ｂ  ボルト
３３  クッション材
３４  地盤                    ３５  施工用の溝
３６  施工用の穴              ３７  鋼管杭
３８  鋼管                    ３９  接続筒
４０  爪                      ４１  アダプタ
４２  基礎ブラケット          ４３  モルタル
４４  ジャッキ                ４５  ピース
５１  回転圧入装置本体        ５２  柱体
５３  モータ                  ５４  巻取機
５５  モータ                  ５６  巻取ドラム
５７  キャリッジ              ５８  レール
５９  台車                    ６０  伸縮フレーム
６１  筒体                    ６２  スライドフレーム
６３  油圧ジャッキ            ６４  ローラ
７０  施工用の穴              ７１  枕木
７２  敷板                    ７３  ねじれ止め用固定具
７４  ホルダ部                ７５  固定ピン
【図１】
0003634724.tif 000002
【図２】
0003634724.tif 000003
【図３】
0003634724.tif 000004
【図４】
0003634724.tif 000005
【図５】
0003634724.tif 000006
【図６】
0003634724.tif 000007
【図７】
0003634724.tif 000008
【図８】
0003634724.tif 000009
【図９】
0003634724.tif 000010
【図１０】
0003634724.tif 000011
【図１１】
0003634724.tif 000012
【図１２】
0003634724.tif 000013
【図１３】
0003634724.tif 000014
【図１４】
0003634724.tif 000015
【図１５】
0003634724.tif 000016